(57)【要約】【課題】通信システム全体の設定をユーザが容易に確認可能とする。【解決手段】通信システム（１）は、公衆回線に接続された親機（２０）と、該親機と無線通信により相互通信可能であり、且つ対象物の状態変化を検知する検知手段（２６）を有する子機（２０）と、を備える。子機は、検知手段による検知に係る情報である検知情報を親機に通知する。親機は、通知された検知情報を、予め登録された所定の通知先に対し、予め登録された所定時刻に、公衆回線を介して通知する。子機は、公衆回線を介して所定の通知先に通信を試みるテスト発信の実行を示す命令信号を、親機に対し送信するテスト発信指示手段（２１）と、該命令信号の送信に先立ち、親機及び子機間における無線通信の状態の確認、並びに親機に係る設定状況の確認を含む確認処理を実行する確認手段（２１）と、確認処理の結果を報知する報知手段（２７）と、を更に有する。【選択図】図２
2014155118.tif 000002
【特許請求の範囲】
【請求項１】
公衆回線に接続された親機と、前記親機と無線通信により相互通信可能であり、且つ対象物の状態変化を検知する検知手段を有する子機と、を備え、前記子機は、前記検知手段による検知に係る情報である検知情報を前記親機に通知し、前記親機は、前記通知された検知情報を、予め登録された所定の通知先に対し、予め登録された所定時刻に、前記公衆回線を介して通知する通信システムであって、
前記子機は、
前記公衆回線を介して前記所定の通知先に通信を試みるテスト発信の実行を示す命令信号を、前記親機に対し送信するテスト発信指示手段と、
前記命令信号の送信に先立ち、前記親機及び前記子機間における無線通信の状態の確認、並びに前記親機に係る設定状況の確認を含む確認処理を実行する確認手段と、
前記確認処理の結果を報知する報知手段と、
を更に有する
ことを特徴とする通信システム。
【請求項２】
前記確認処理は、更に、前記親機の使用状況の確認を含むことを特徴とする請求項１に記載の通信システム。
【請求項３】
前記テスト発信指示手段は、前記確認処理の結果に問題が無いことを条件に、前記命令信号を前記親機に対し送信することを特徴とする請求項１又は２に記載の通信システム。
【請求項４】
前記親機に係る設定状況の確認には、（ｉ）日時設定がされているか否か、（ｉｉ）回線種別設定がされているか否か、（ｉｉｉ）前記所定の通知先が登録されているか否か、及び（ｉｖ）前記所定時刻が登録されているか否か、のうち少なくとも一つが含まれていることを特徴とする請求項１乃至３のいずれか一項に記載の通信システム。
【請求項５】
公衆回線に接続された親機と、前記親機と無線通信により相互通信可能であり、且つ対象物の状態変化を検知する検知手段を有する子機と、を備え、前記子機は、前記検知手段による検知に係る情報である検知情報を前記親機に通知し、前記親機は、前記通知された検知情報を、予め登録された所定の通知先に対し、予め登録された所定時刻に、前記公衆回線を介して通知する通信システムにおけるテスト発信方法であって、
前記子機が、前記公衆回線を介して前記所定の通知先に通信を試みるテスト発信の実行を示す命令信号を、前記親機に対し送信するテスト発信指示工程と、
前記子機が、前記命令信号の送信に先立ち、前記親機及び前記子機間における無線通信の状態の確認、並びに前記親機に係る設定状況の確認を含む確認処理を実行する確認工程と、
前記子機が、前記確認処理の結果を報知する報知工程と、
を備えることを特徴とするテスト発信方法。
【請求項６】
公衆回線に接続された親機と、前記親機と無線通信により相互通信可能であり、且つ対象物の状態変化を検知する検知手段を有する子機と、を備え、前記子機は、前記検知手段による検知に係る情報である検知情報を前記親機に通知し、前記親機は、前記通知された検知情報を、予め登録された所定の通知先に対し、予め登録された所定時刻に、前記公衆回線を介して通知する通信システムにおける前記子機に搭載されたコンピュータを、
前記公衆回線を介して前記所定の通知先に通信を試みるテスト発信の実行を示す命令信号を、前記親機に対し送信するテスト発信指示手段と、
前記命令信号の送信に先立ち、前記親機及び前記子機間における無線通信の状態の確認、並びに前記親機に係る設定状況の確認を含む確認処理を実行する確認手段と、
前記確認処理の結果を報知する報知手段と、
として機能させることを特徴とするコンピュータプログラム。
【発明の詳細な説明】
【技術分野】
【０００１】
本発明は、子機が検知した状態変化に係る検知情報を、親機が公衆回線を介して所定の通知先に通知する通信システムに関し、特に、通信システムの動作を予め確認可能なテスト発信機能を有する通信システム、該通信システムにおけるテスト発信方法、及びコンピュータプログラムの技術分野に関する。
【背景技術】
【０００２】
この種のシステムとして、例えば、複数のセンサと、電話回線に接続された自動通報装置とを備えるシステムであって、センサにより、例えば火災等の予め定められた事象が検知された場合に、自動通報装置が電話回線を通じて、例えば消防等の予め定められた通知先へ自動通報するシステムが提案されている（特許文献１参照）。
【０００３】
ここでは特に、自動通報装置の通報テストボタンが操作された場合に、予め登録された通報先へ順次通報テストを実行するように、該自動通報装置が構成されていることが記載されている。また、通報テスト時に、自動通報装置の取り消しボタンが操作された場合に、通報テストを取り消すように、該自動通報装置が構成されていることが記載されている。
【先行技術文献】
【特許文献】
【０００４】
【特許文献１】特開２００５−１５１５０１号公報
【発明の概要】
【発明が解決しようとする課題】
【０００５】
しかしながら、上述の背景技術によれば、通報テストにより登録された通報先の確認をすることは可能であるが、システム全体の設定を確認することが困難であるという技術的問題点がある。
【０００６】
本発明は、例えば上記問題点に鑑みてなされたものであり、システム全体の設定を比較的容易に確認することができる通信システム、テスト発信方法及びコンピュータプログラムを提供することを課題とする。
【課題を解決するための手段】
【０００７】
請求項１に記載の通信システムは、上記課題を解決するために、公衆回線に接続された親機と、前記親機と無線通信により相互通信可能であり、且つ対象物の状態変化を検知する検知手段を有する子機と、を備え、前記子機は、前記検知手段による検知に係る情報である検知情報を前記親機に通知し、前記親機は、前記通知された検知情報を、予め登録された所定の通知先に対し、予め登録された所定時刻に、前記公衆回線を介して通知する通信システムであって、前記子機は、前記公衆回線を介して前記所定の通知先に通信を試みるテスト発信の実行を示す命令信号を、前記親機に対し送信するテスト発信指示手段と、前記命令信号の送信に先立ち、前記親機及び前記子機間における無線通信の状態の確認、並びに前記親機に係る設定状況の確認を含む確認処理を実行する確認手段と、前記確認処理の結果を報知する報知手段と、を更に有する。
【０００８】
請求項５に記載のテスト発信方法は、公衆回線に接続された親機と、前記親機と無線通信により相互通信可能であり、且つ対象物の状態変化を検知する検知手段を有する子機と、を備え、前記子機は、前記検知手段による検知に係る情報である検知情報を前記親機に通知し、前記親機は、前記通知された検知情報を、予め登録された所定の通知先に対し、予め登録された所定時刻に、前記公衆回線を介して通知する通信システムにおけるテスト発信方法であって、前記子機が、前記公衆回線を介して前記所定の通知先に通信を試みるテスト発信の実行を示す命令信号を、前記親機に対し送信するテスト発信指示工程と、前記子機が、前記命令信号の送信に先立ち、前記親機及び前記子機間における無線通信の状態の確認、並びに前記親機に係る設定状況の確認を含む確認処理を実行する確認工程と、前記子機が、前記確認処理の結果を報知する報知工程と、を備える。
【０００９】
請求項６に記載のコンピュータプログラムは、上記課題を解決するために、公衆回線に接続された親機と、前記親機と無線通信により相互通信可能であり、且つ対象物の状態変化を検知する検知手段を有する子機と、を備え、前記子機は、前記検知手段による検知に係る情報である検知情報を前記親機に通知し、前記親機は、前記通知された検知情報を、予め登録された所定の通知先に対し、予め登録された所定時刻に、前記公衆回線を介して通知する通信システムにおける前記子機に搭載されたコンピュータを、前記公衆回線を介して前記所定の通知先に通信を試みるテスト発信の実行を示す命令信号を、前記親機に対し送信するテスト発信指示手段と、前記命令信号の送信に先立ち、前記親機及び前記子機間における無線通信の状態の確認、並びに前記親機に係る設定状況の確認を含む確認処理を実行する確認手段と、前記確認処理の結果を報知する報知手段と、として機能させる。
【００１０】
本発明の作用及び他の利得は次に説明する実施するための形態から明らかにされる。
【図面の簡単な説明】
【００１１】
【図１】実施例に係る通信装置システムの構成を示すブロック図である。
【図２】実施例に係るテスト発信処理を示すフローチャートである。
【発明を実施するための形態】
【００１２】
以下、本発明の通信システム、テスト発信方法及びコンピュータプログラムに係る実施形態について説明する。
【００１３】
（通信システム）
実施形態に係る通信システムは、例えば電話回線、インターネット等の公衆回線に接続された親機と、該親機と無線通信により相互通信可能な子機とを備えて構成されている。
【００１４】
子機は、検知手段、テスト発信指示手段、確認手段及び報知手段を備えて構成されている。
【００１５】
例えば焦電センサ等である検知手段は、対象物の状態変化を検知する。状態変化が検知された場合、例えば検知回数等を含む検知情報が更新される。該検知情報は、例えば、検知情報が更新された時点（即ち、検知手段により状態変化が検知された時点）、予め定められた時刻、等に、親機に通知（送信）される。
【００１６】
例えばメモリ、プロセッサ等を備えてなるテスト発信指示手段は、テスト発信の実行を示す命令信号を親機に対して送信する。ここで、「テスト発信」は、親機が公衆回線を介して、例えば電話や電子メール等により、予め登録された所定の通知先に通信を試みることを意味する。
【００１７】
例えばメモリ、プロセッサ等を備えてなる確認手段は、テスト発信の実行を示す命令信号の送信に先立ち確認処理を実行する。ここで、「確認処理」には、例えば、親機及び子機間における無線通信の状態の確認、親機に係る設定状況の確認、親機の使用状況の確認、等が含まれる。
【００１８】
例えば表示部、スピーカ等を備えてなる報知手段は、確認手段による確認処理の結果を報知する。
【００１９】
親機は、子機から通知された検知情報を、予め登録された所定の通知先に対し、予め登録された所定時刻に、公衆回線を介して自動的に通知する。
【００２０】
ところで、当該通信システムの導入時には、ユーザが、比較的多くの項目について設定する必要がある。具体的には例えば、検知情報が所定の通知先に自動的に通知されるためには、少なくとも、所定の通知先及び通知時刻を設定しなければならない。このため、設定に不具合があると、当該通信システムがユーザの希望通りに動作しない可能性がある。
【００２１】
そこで本実施形態では、テスト発信指示手段により、テスト発信の実行を示す命令信号が親機に対して送信される。該命令信号を受信した親機により、設定された通知先に対してテスト発信が実行されるので、ユーザは該テスト発信の結果を確認することにより、通知先が正しく設定されているか否かを確認することができる。
【００２２】
本実施形態では更に、確認手段により、テスト発信の実行を示す命令信号の送信に先立ち確認処理が実行される。このように構成すれば、通知先が正しく設定されているか否かだけでなく、テスト発信が実行可能な状態であるか否かも（即ち、当該通信システム全体の設定についても）、ユーザが比較的容易に確認することができ、実用上非常に有利である。
【００２３】
当該通信システムのようなシステムでは、親機から子機に対して常時同期信号が発信されていることが多い。このため、子機が、テスト発信指示手段及び確認手段を備えることにより、例えば子機及び親機間における無線通信の状態を比較的容易に確認することができる。
【００２４】
テスト発信指示手段は、確認処理の結果に問題が無いことを条件に、テスト発信の実行を示す命令信号を親機に対して送信する。このように構成すれば、確実にテスト発信が実行されるので、実用上非常に有利である。
【００２５】
（テスト発信方法）
実施形態に係るテスト発信方法は、公衆回線に接続された親機と、該親機と無線通信により相互通信可能な子機とを備える通信システムにおけるテスト発信方法である。当該テスト発信方法は、子機が、テスト発信の実行を示す命令信号を、親機に対し送信するテスト発信指示工程と、子機が、該命令信号の送信に先立ち確認処理を実行する確認工程と、子機が、確認処理の結果を報知する報知工程と、を備える。
【００２６】
本実施形態に係るテスト発信方法によれば、上述した実施形態に係る通信システムと同様に、システム全体の設定を比較的容易に確認することができる。
【００２７】
（コンピュータプログラム）
実施形態に係るコンピュータプログラムは、公衆回線に接続された親機と、該親機と無線通信により相互通信可能な子機とを備える通信システムにおける子機に搭載されたコンピュータを、テスト発信の実行を示す命令信号を、親機に対し送信するテスト発信指示手段と、該命令信号の送信に先立ち、親機及び子機間における無線通信の状態の確認、並びに親機に係る設定状況の確認を含む確認処理を実行する確認手段と、確認処理の結果を報知する報知手段と、として機能させる。
【００２８】
本発明のコンピュータプログラムによれば、当該コンピュータプログラムを格納するＲＡＭ（Ｒａｎｄｏｍ  Ａｃｃｅｓｓ  Ｍｅｍｏｒｙ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（ＤＶＤ  Ｒｅａｄ  Ｏｎｌｙ  Ｍｅｍｏｒｙ）等の記録媒体から、当該コンピュータプログラムを、子機に備えられたコンピュータに読み込んで実行させれば、或いは、当該コンピュータプログラムを、通信手段を介してダウンロードさせた後に実行させれば、上述した実施形態に係る通信システムを比較的容易にして実現できる。これにより、上述した実施形態に係る通信システムと同様に、システム全体の設定を比較的容易に確認することができる。
【実施例】
【００２９】
本発明の通信システムに係る実施例を、図面に基づいて説明する。尚、本実施例では、通信システム１が、一人暮らしの高齢者を遠隔から見守るためのシステム（以降、適宜“見守りシステム”と称する）に適用された場合を一例として挙げる。
【００３０】
見守りシステムでは、一般的に、例えばトイレ等、生活をする上で１日に１回は利用する場所に、赤外線を用いたセンサが設置される。そして、該センサにより検出された温度変化の回数等の情報が、センサと対になる親機、及び公衆回線を介して、例えば見守り対象の高齢者と離れて暮らす親族等の通信端末に送信される。従って、該通信端末の所有者は、該通信端末に送信された情報を確認することにより、見守り対象者の無事を確認することができる。
【００３１】
（通信システムの構成）
先ず、実施例に係る通信システムの構成について、図１を参照して説明する。図１は、実施例に係る通信システムの構成を示すブロック図である。
【００３２】
図１において、通信システム１は、公衆回線に接続された親機１０と、子機２０とを備えて構成されている。親機１０は、例えば見守り対象者の住居の居間等に設置される。他方、子機２０は、例えば見守り対象者の住居のトイレ等、見守り対象者が１日に少なくとも１回利用すると考えられる場所に設置される。
【００３３】
親機１０は、例えばＣＰＵ（Ｃｅｎｔｒａｌ  Ｐｒｏｃｅｓｓｉｎｇ  Ｕｎｉｔ）等である主制御部１１と、アンテナＡＮＴに接続され、無線通信を実行可能な無線部１２と、例えばタッチパネル、操作ボタン等である操作部１３と、ＲＡＭ（Ｒａｎｄｏｍ  Ａｃｃｅｓｓ  Ｍｅｍｏｒｙ）１４と、不揮発性メモリ１５と、公衆回線に接続された回線制御部１６と、を備えて構成されている。
【００３４】
子機２０は、例えばＣＰＵ等である主制御部２１と、アンテナＡＮＴに接続され、無線通信を実行可能な無線部２２と、例えばタッチパネル、操作ボタン等である操作部２３と、ＲＡＭ２４と、不揮発性メモリ２５と、例えば焦電センサ等の赤外線を用いたセンサ２６と、例えば液晶ディスプレイ、スピーカ等である報知部２７と、子機２０に搭載されたバッテリ（図示せず）の充電状態を検出する充電検出部２８と、を備えて構成されている。
【００３５】
センサ２６は、物体から発せられる赤外線を感知するように構成されている。そして、センサ２６は、温度変化が発生した場合に検出信号を出力するように構成されている。言い換えれば、温度変化が生じなければセンサ２６から検出信号は出力されない。
【００３６】
主制御部２１は、センサ２６から出力された検出信号に基づいて、カウンタ（図示せず）の数値を更新する。主制御部２１は、また、カウンタの数値を示すカウンタ信号を、無線部２２を介して、親機１０へ送信する。尚、本実施例に係る「カウンタ信号」は、本発明に係る「検知情報」の一例である。
【００３７】
親機１０の主制御部１１は、無線部１２を介して、今回受信されたカウンタ信号により示される数値と、前回のカウンタ信号の受信時に、不揮発性メモリ１５に記憶された該カウンタ信号により示される数値と、に基づいて、前回カウンタ信号が受信されてから、今回カウンタ信号が受信されるまでの間に、見守り対象者が、子機２０が設置された場所へ立ち入った回数の累計を求める。
【００３８】
その後、主制御部１１は、上記求められた累計回数を示す情報を、操作部１３を介して予め登録された外部通信端末へ、予め登録された時刻に、自動的に通知する。主制御部１１は、更に、不揮発性メモリ１５に記憶された数値を、今回受信されたカウンタ信号により示される数値に更新する。
【００３９】
尚、外部通信端末は、例えば電話機やパーソナルコンピュータ等である。操作部１３では、例えば電話番号、ＦＡＸ番号、メールアドレス等を、通知先として登録可能である。外部通信端末が電話機であって、該電話機に係る情報として電話番号が登録されている場合、親機１０は、例えば合成音により、カウンタ信号に基づいて求められた回数を通知する。また、ユーザが操作部１３を操作することにより、前回の通知内容を確認することができるように、該操作部１３が構成されてもよい。
【００４０】
（テスト発信）
当該通信システム１の設置時には、例えば、（ｉ）子機２０を、該子機２０に対応する親機１０（例えば、コードレス電話機等）に増設する、（ｉｉ）子機２０を親機１０の無線圏内に設置する、（ｉｉｉ）親機１０に、日時及び回線種別（例えば、プッシュ回線、ダイヤル回線等）を設定する、（ｉｖ）親機１０に、累計回数を示す情報を通知すべき通知先及び通知時刻を登録する、（ｖ）親機１０が登録された通知先へ自動発信することを許可する、等の各種設定がユーザによってなされる。
【００４１】
このように当該通信システム１の設置時には、多数の項目が設定されるので、ユーザが一部の設定を誤ると、当該通信システム１が正しく動作しないおそれがある。そこで、当該通信システム１は、当該通信システム１の設置時における設定（特に、登録された通知先への自動発信に係る設定）が適切か否かを、ユーザが確認するためのテスト発信機能を備えている。本実施例では、特に、通信システム１の子機２０側からテスト発信を実行可能である。以下、実施例に係るテスト発信について、図２のフローチャートを参照して説明する。
【００４２】
子機２０の操作部２３を介してテスト発信が要求された場合、子機２０の主制御部２１は、当該子機２０が無線通信可能な設定になっているか否か（具体的には例えば、無線部２２の機能が有効であるか否か等）を判定する（ステップＳ１０１）。無線通信可能な設定になっていないと判定された場合（ステップＳ１０１：Ｎｏ）、主制御部２１は、例えば「無線通信が無効です」等の警告メッセージや、警告音を表示又は出力するように報知部２７を制御して（ステップＳ１１１）、処理を終了する。
【００４３】
無線通信可能な設定になっていると判定された場合（ステップＳ１０１：Ｙｅｓ）、主制御部２１は、子機２０が親機１０とペアリングされているか否か（即ち、子機２０のＩＤが親機１０に登録されているか否か、及び親機１０のＩＤが子機２０に登録されているか否か）を判定する（ステップＳ１０２）。ペアリングされていないと判定された場合（ステップＳ２０１：Ｎｏ）、主制御部２１は、例えば「親機のＩＤを登録してください」等の警告メッセージや、警告音を表示又は出力するように報知部２７を制御して（ステップＳ１１１）、処理を終了する。
【００４４】
ペアリングされていると判定された場合（ステップＳ１０２：Ｙｅｓ）、主制御部２１は、子機２０が親機１０の無線圏外でないか否かを判定する（ステップＳ１０３）。具体的には例えば、主制御部２１は、親機１０から常時出力されている同期信号（ビーコン）が無線部２２により受信されたか否かを判定する。無線圏外である（即ち、同期信号を受信できていない）と判定された場合（ステップＳ１０３：Ｎｏ）、主制御部２１は、例えば「親機の無線圏外です」等の警告メッセージや、警告音を表示又は出力するように報知部２７を制御して（ステップＳ１１１）、処理を終了する。
【００４５】
無線圏外でない（即ち、同期信号を受信できた）と判定された場合（ステップＳ１０３：Ｙｅｓ）、主制御部２１は、親機１０が登録された通知先へ自動発信可能にされているか否かを判定する（ステップＳ１０４）。具体的には例えば、自動発信可能であれば“１”を示す信号を、自動発信不可能であれば“０”を示す信号を子機２０へ送信するように、親機１０を構成しておき、子機２０の主制御部２１は、“１”を示す信号が親機１０から送信されたか否かを判定する。自動発信不可能であると判定された場合（ステップＳ１０４：Ｎｏ）、主制御部２１は、例えば「自動発信が無効です」等の警告メッセージや、警告音を表示又は出力するように報知部２７を制御して（ステップＳ１１１）、処理を終了する。
【００４６】
自動発信可能であると判定された場合（ステップＳ１０４：Ｙｅｓ）、主制御部２１は、親機１０が自動発信すべき通知先が登録されているか否かを判定する（ステップＳ１０５）。具体的には例えば、通知先が登録されていれば“１”を示す信号を、通知先が登録されていなければ“０”を示す信号を子機２０へ送信するように、親機１０を構成しておき、子機２０の主制御部２１は、“１”を示す信号が親機１０から送信されたか否かを判定する。通知先が登録されていないと判定された場合（ステップＳ１０５：Ｎｏ）、主制御部２１は、例えば「通知先を登録してください」等の警告メッセージや、警告音を表示又は出力するように報知部２７を制御して（ステップＳ１１１）、処理を終了する。
【００４７】
通知先が登録されていると判定された場合（ステップＳ１０５：Ｙｅｓ）、主制御部２１は、親機１０が自動発信すべき時刻が登録されているか否かを判定する（ステップＳ１０６）。具体的には例えば、自動発信すべき時刻が登録されていれば“１”を示す信号を、自動発信すべき時刻が登録されていなければ“０”を示す信号を子機２０へ送信するように、親機１０を構成しておき、子機２０の主制御部２１は、“１”を示す信号が親機１０から送信されたか否かを判定する。自動発信すべき時刻が登録されていないと判定された場合（ステップＳ１０６：Ｎｏ）、主制御部２１は、例えば「自動発信すべき時刻を登録してください」等の警告メッセージや、警告音を表示又は出力するように報知部２７を制御して（ステップＳ１１１）、処理を終了する。
【００４８】
自動発信すべき時刻が登録されていると判定された場合（ステップＳ１０６：Ｙｅｓ）、主制御部２１は、親機１０について日時が登録されているか否かを判定する（ステップＳ１０７）。具体的には例えば、日時が登録されていれば“１”を示す信号を、日時が登録されていなければ“０”を示す信号を子機２０へ送信するように、親機１０を構成しておき、子機２０の主制御部２１は、“１”を示す信号が親機１０から送信されたか否かを判定する。日時が登録されていないと判定された場合（ステップＳ１０７：Ｎｏ）、主制御部２１は、例えば「日時を設定してください」等の警告メッセージや、警告音を表示又は出力するように報知部２７を制御して（ステップＳ１１１）、処理を終了する。
【００４９】
日時が登録されていると判定された場合（ステップＳ１０７：Ｙｅｓ）、主制御部２１は、親機１０について使用する公衆回線の設定がされているか否かを判定する（ステップＳ１０８）。具体的には例えば、使用する公衆回線の設定がされていれば“１”を示す信号を、使用する公衆回線の設定がされていなければ“０”を示す信号を子機２０へ送信するように、親機１０を構成しておき、子機２０の主制御部２１は、“１”を示す信号が親機１０から送信されたか否かを判定する。使用する公衆回線の設定がされていないと判定された場合（ステップＳ１０８：Ｎｏ）、主制御部２１は、例えば「回線を設定してください」等の警告メッセージや、警告音を表示又は出力するように報知部２７を制御して（ステップＳ１１１）、処理を終了する。
【００５０】
使用する公衆回線の設定がされていると判定された場合（ステップＳ１０８：Ｙｅｓ）、主制御部２１は、親機１０が使用中（例えば、外線使用中、留守番電話応答中等）でないか否かを判定する（ステップＳ１０９）。親機１０が使用中であると判定された場合（ステップＳ１０９：Ｎｏ）、主制御部２１は、例えば「親機が使用されています」等の警告メッセージや、警告音を表示又は出力するように報知部２７を制御して（ステップＳ１１１）、処理を終了する。
【００５１】
親機１０が使用中でないと判定された場合（ステップＳ１０９：Ｙｅｓ）、主制御部２１は、親機１０に対して、公衆回線を介して登録された通知先に通信を試みるテスト発信の実行を示す命令信号を、送信する（ステップＳ１１０）。
【００５２】
テスト発信の実行を示す命令信号を受信した親機１０の主制御部１１は、例えば不揮発性メモリ１５に格納された、自動発信すべき通知先を示す情報を参照して、該通知先に通信を試みる。
【００５３】
このように、本実施例に係る通信システム１では、当該通信システム１に係る設定の確認がテスト発信に先立ち実行されるので、ユーザは、当該通信システム１全体の設定を比較的容易に確認することができる。また、テスト発信の結果、所望の通知先に通知が無い場合であっても、ユーザ自身が原因を比較的容易に絞り込むことができ（例えば、通知先が正確に登録されていない等）、実用上非常に有利である。
【００５４】
実施例に係る「主制御部２１」は、本発明に係る「テスト発信指示手段」及び「確認手段」の一例である。実施例に係る「報知部２７」は、本発明に係る「報知手段」の一例である。図２のフローチャートにおける「ステップＳ１０３」の処理は、本発明に係る「親機及び子機間における無線通信の状態の確認」の一例である。図２のフローチャートにおける「ステップＳ１０４〜Ｓ１０８」の処理は、本発明に係る「親機に係る設定状況の確認」の一例である。図２のフローチャートにおける「ステップＳ１０９」の処理は、本発明に係る「親機の使用状況の確認」の一例である。
【００５５】
本発明は、上述した実施形態に限られるものではなく、特許請求の範囲及び明細書全体から読み取れる発明の要旨或いは思想に反しない範囲で適宜変更可能であり、そのような変更を伴う通信システム、テスト発信方法及びコンピュータプログラムもまた本発明の技術的範囲に含まれるものである。
【符号の説明】
【００５６】
１…通信システム、１０…親機、１１、２１…主制御部、１２、２２…無線部、１３、２３…操作部、１４、２４…ＲＡＭ、１５、２５…不揮発性メモリ、１６…回線制御部、２０…子機、２６…センサ、２７…報知部、２８…充電検出部
【図１】
2014155118.tif 000003
【図２】
2014155118.tif 000004